Podtech/llm-jp-corpus-v4-ja_patent huggingface dataset:
(57)【要約】      （修正有）【課題】駐車場、車庫、路上等の車が現場から持ち去られた場合、所有者にその位置を知らせる。【解決手段】犯人が車を盗み、車の運転を開始した時点で、本システムの装置の回路電源がＯＮになり、装置に含まれている電波発信器から盗難車が特定できる電波を車に取り付けられたアンテナから発信する。この電波を通信衛星や、地上の処々に設置してある受信装置で受信して、警察や公安関係の捜査担当部署に設置してあるディスプレイの画面上に、盗難車の位置を表示させ、盗難車の捕獲および犯人の逮捕に役立てるものである。【選択図】図１
2007287111.tif 000002
【特許請求の範囲】
【請求項１】
駐車場、車庫、路上等に置いてある他人所有の乗用車、ライトバン、トラック、特殊車両等を盗む目的で解錠その他の工作を施して持ち去れる状態にして、犯人自らがその車を運転して、その場から車を移動させて逃走開始した時点から自動的に作動して、車に装着してあるアンテナからその車を特定できる電波を発進させ、この電波を衛星や地上の処々に設置してある受信装置で受信して、警察や公安関係の捜査担当部署に設置してあるディスプレイの画面上にカーナビのように今盗難車が何処にあるかを表示させて、盗難車の確保および犯人の逮捕に役立てる盗難車および犯人の追跡システム。
【発明の詳細な説明】
【発明の詳細な説明】
【技術分野】
【０００１】本発明では乗用車、ライトバン、トラック、特殊車両等（以下車と云う）を、盗む目的で、犯人がその車が置かれている場所から移動させようとする時点から、その車に備わっている電気系統とは完全に独立した別回路の電気系統を使用して、その車に犯人にわからない場所に設置したアンテナからその車を特定できる電波を発信させて、この電波を衛星や地上の処々に設置してある受信装置で受信して、警察や公安関係の捜査担当部署に設置してあるディスプレイの画面上にカーナビのように今盗難車が何処にあるかを表示させて盗難車の位置を割り出し、車の確保および犯人の逮捕に役立てる盗難車追跡システムの技術に関するものである。
【背景技術】
【０００２】従来は、駐車場、車庫、路上等に置いてある車が所有者以外の人に盗まれた場合、現場に所有者や目撃者がいない限り、警察などに届け出ても車が置いてあった現場から持ち去られてしまった後では、所有者に戻ることは、持ち去られた場所から離れた場所に犯人が置き去りにでもしない限り非常に困難である。その理由は、従来の車には所有者や貸した人が運転していて、携帯電話や無線で連絡を取れる以外、車を持ち去った犯人が運転したり、持ち去った場所に置いたりした場合は、その車に追跡装置が設置して無いため、盗難に遭った車を短期間に見つけ出す事は殆ど不可能に近かった。
従って、従来盗難車を見つけるには、まづ車を盗んだ犯人を捜し出すか、犯人とつながっている車の解体、修理、改造、整備業者、中古車取扱・輸出入業者等を緻密に逐一捜査する膨大で効果の薄い作業を遂行せざるを得なかった。
【発明が解決しようとする課題】
【０００３】今までの技術では、車が盗難に遭った場合、警察や公安関係に盗難届けを提出して、捜してもらうか、所有者自身が探し出す以外にこれといった解決方法が無かった。即ち従来の技術では盗難車を容易に見付け出せる技術がなかった事が課題であった。
【課題を解決するための手段】
【０００４】本発明の盗難車追跡システムは、車が盗難に遭った場合でも、車の内部に予め本追跡システムの装置を内包設置して置き、犯人が車を盗み逃げ出そうとして運転を開始した時点で、手段として本システムの装置が自動的に作動する回路の電源がＯＮになり、装置に含まれている電波発信器から盗難車が特定できる電波を車に取り付けられたアンテナから発信させる。この電波を衛星や地上の処々に設置してある受信装置で受信して、警察や公安関係の捜査担当部署に設置してあるディスプレイの画面上にカーナビのように今盗難車が何処にあるかの位置を表示させて、盗難車の確保および犯人の逮捕に役立てる事を提供するものである。本システムの発信装置は車内の犯人にわからない場所に隠して設置しておく事が重要である。
【発明実施の形態】
【０００５】付図面１に従って本発明の盗難車追跡システムの説明を行う。
図１はシステム全体の説明図を示す。車−１内で車を盗もうとする犯人−３が察知できない場所にこの車を特定できる電波を発信できる発信装置−４を設置して置く。車の所有者が駐車の目的で車から離れる直前にこの発信装置−４のスタンバイ用ＯＮ−ＯＦＦスイッチ−５をＯＮに入れる。勿論車のエンジンはＯＦＦ、ドアーや窓のガラスは全閉にして完全に施錠しておく。
この発信装置−４を作動させる回路−６は車を運転する回路とは独立した別系統とする。この回路の作動電源−７は直流を発生する乾電池、蓄電池、太陽電池等を使用する。この回路には車を持ち去ろうとして犯人がエンジンを始動したり、車の車輪が回転し始める時点で、車体の振動やホイール−２に取り付けた接触片−８が触れた時にＯＮになり、回路−５が作動状態になるスイッチ−９が電気配線により接続されている。以上の盗難車追跡システムの機能について以下に説明する。先ず犯人が駐車場や置き場に置いてある他人所有の種々の車を盗み出す目的で、車の窓やドアーのガラスを破壊したり、ドアーの施錠を解錠したりして車の運転席に着いて、エンジンを始動し車を移動させるために車を発進させた時点で本発明の盗難車追跡システムに組み込まれた、この車を特定できる電波の発信装置−４の回路６のスイッチ−９がＯＮになり、回路−６が作動状態になり回路−６に接続されているアンテナ−１０からこの車を特定できる電波が発信される。この電波は通信衛星−１１や地上の処々に設置された携帯電話などの受信装置−１２で受信され、種々の回線を介して警察や公安関係の捜査担当部署−１３に設置されているディスプレー−１４にカーナビのように画面上で、今現在この盗難車が何処の地点にあるかが逐次表示され、担当官はこれを見ながら、この車の追跡担当者に無線電話などで指示を与えて車を追いつめ、犯人や車の捕獲を容易にする事が可能になり、検挙率のＵＰに貢献できることとなる。
【図面の簡単な説明】
【図１】    本発明システムの説明図
【符号の説明】
１…車、２…ホイール、３…犯人、４…発信装置、５…スタンバイ用ＯＮ−ＯＦＦスイッチ、６…作動回路、７…作動電源、８…接触片、９…スイッチ、１０…アンテナ、１１…通信衛星、１２…受信装置、１３…捜査担当部署、１４…ディスプレイ
【図１】
2007287111.tif 000003
(57)【要約】【課題】エアコン室外機の軽量化に寄与すると共に、リアクタのコスト低減を行う。【解決手段】積層Ｅ型鉄心１の中央磁脚１ａの周囲に酸化皮膜６を表面に有するアルミ箔・条を導体５してなるコイル３が巻装し、コイル３の外形と積層Ｅ型鉄心１の窓外形が絶縁紙を介して、面接触構造を持たせることにより、コイル３の温度を低下させ、近接する絶縁材の温度限度に対する余裕分を導体断面積の低下を行い、前記の導体断面積低下により発生する鉄心窓内寸法余裕から磁路長が短い小型サイズ鉄心が使用でき、コイル重量および鉄心重量を減少させるものである。【選択図】図１
2007287956.tif 000002
【特許請求の範囲】
【請求項１】
互いに突き合わされた積層Ｅ型鉄心と積層Ｉ型鉄心を有し、前記積層Ｅ型鉄心の中央磁脚とこれに対向配置された前記積層Ｉ型鉄心との間に磁気飽和特性を調整するエアギャップが形成され、前記中央磁脚の周囲に酸化皮膜を表面に有するアルミ箔・条を導体してなるコイルが絶縁紙を介して巻装され、前記コイルの外形を前記積層Ｅ型鉄心と前記絶縁紙を介して面接触構造を持たせ、ワニス含浸したことを特徴とするリアクタ。
【発明の詳細な説明】
【技術分野】
【０００１】
本発明は、インバータエアコン等の力率改善に用いられるリアクタに関するものである。
【背景技術】
【０００２】
従来、この種のリアクタとしては、エナメル皮膜を表面に焼付けされた銅またはアルミ丸線からなるコイルを巻装されていた（特許文献１参照）。
【０００３】
図３は前記文献に記載された従来のリアクタの斜視図を示すものである。図３において、積層Ｅ型鉄心１の中央磁脚１ａの周囲に絶縁手段を構成する絶縁紙４を配されたエナメル皮膜を表面に焼付けされた銅またはアルミ丸線からなるコイル３が巻装され、前記積層Ｅ型鉄心１と積層Ｉ型鉄心２をエアギャップ７が形成されるよう突合せ、溶接固定し、ワニス含浸されていた。
【特許文献１】実開平６−３１１２２号公報（図１３）
【発明の開示】
【発明が解決しようとする課題】
【０００４】
しかしながら、前記従来の構成では、コイルのターン間は点接触となり、電流の流入時、導体の発熱によるコイル内部の温度差が大きくなると共にコイルの放熱板の機能を有する積層Ｅ型鉄心とコイル間も絶縁紙を介して点接触となり、積層Ｅ型鉄心とコイル間の熱伝導面積が小さく、コイルの放熱効果が少なくなるため、電気絶縁材の最大温度を法律で規定される絶縁階級の温度限度以下に抑制するためにはコイルの抵抗損を小さくするコイルの導体断面積の大きい設計が必要となり、コイル重量を増大させると共にコイルが挿入される鉄心の窓内面積を大きく設計する必要性があるため、鉄心磁路長が伸び、鉄心重量をも増大させ、エアコン室外機の軽量化に寄与できない上、大きなコストアップを招くと言う課題を有していた。
【０００５】
本発明は、前記従来の課題を解決するもので、コイルのタ−ン間及びコイル鉄心間の熱伝導を向上させ、エアコン室外機の軽量化に寄与する軽量で安価なリアクタを提供することを目的とする。
【課題を解決するための手段】
【０００６】
前記従来の課題を解決するために本発明のリアクタは、酸化皮膜を表面に有するアルミ箔・条を導体してなるコイルを巻装し、前記コイルの外形が積層Ｅ型鉄心と絶縁紙を介して面接触構造とし、ワニス含浸するものである。
【発明の効果】
【０００７】
本発明のリアクタは、コイル内部及びコイル鉄心間の熱伝導を向上させ、軽量で安価にすることができる。
【発明を実施するための最良の形態】
【０００８】
本発明は、酸化皮膜を表面に有するアルミ箔・条を導体してなるコイルを巻装する構造とし、コイルのタ−ン間及びコイル鉄心間の接触面積を増加させることにより、コイル内部及びコイルとコイル放熱板の機能を有する積層Ｅ型鉄心の熱伝導を良好にし、コイル内部の熱均一性及び熱放散性を向上させ、エアコンの軽量化、コストダウンに寄与できる。
【０００９】
以下、本発明の実施の形態について図面を参照して説明する。なお、本実施の形態によ
って本発明が限定されるものではない。
【００１０】
（実施の形態１）
図１は本発明の実施の形態１におけるリアクタの正面断面図、図２は製造方法説明図を示すものである。図１、図２において、図３と同じ構成については同じ符号を用い、説明は省略する。
【００１１】
図１、図２において、アルミ電解コンデンサの電極箔製作で公知の電気化学的方法により、絶縁体であるＡｌ２Ｏ３の酸化皮膜６を表面に形成したアルミ箔を導体５として使用したコイル３に前記コイル３と鉄心間の電気的絶縁目的の芳香族ポリアミド等からなる絶縁紙４を巻き付け、珪素鋼板からなる積層Ｅ型鉄心１の中央磁脚１ａに装着した後、積層Ｉ型鉄心２をエアギャップ７が形成されるよう突合せ、溶接固定し、不飽和ポリエステル等からなるワニスにて含浸し、固着する。尚、積層Ｅ型鉄心１に装着する絶縁紙４を巻き付けたコイル３の外形寸法Ｗ１の値は前記積層Ｅ型鉄心１の窓外形寸法Ｗ２より数ｍｍ大きくする。
【００１２】
本実施の形態では、コイル３のタ−ン間は非常に薄いＡｌ２Ｏ３の酸化皮膜６にて適切な電気的絶縁を有するアルミ箔を使用しているため、前記の酸化皮膜６の熱絶縁性が低い上、箔を使用しているため、面接触構造となり、コイル３内部の熱伝導が良好になることから、電流の流入時、導体の発熱によるコイル３の内部温度は均一化し、コイル３の最大温度は低下する。
【００１３】
また、アルミ箔の柔軟性から絶縁紙４を巻き付けたコイル３の外形寸法Ｗ１の値を積層Ｅ型鉄心１の窓外形寸法Ｗ２より大きくしても、前記積層Ｅ型鉄心１に簡単に装着することができ、装着時のコイル３の変形と装着後の反作用により、コイル３の外形とコイル放熱板の機能を有する積層Ｅ型鉄心１は絶縁紙４を介した面接触構造となり、熱伝導が向上し、熱放散性が上がり、コイル３の最大温度が低下する。
【００１４】
前記により、電流の流入時、コイル３の導体５の発熱による前記コイル３近接する電気絶縁材の最大温度は法律で規定される絶縁階級の温度限度に対し、余裕ができることになり、コイル３の導体断面積を低下させ抵抗損が増加しても法律で規定される温度限度をクリアすることができ、導体重量を削減できる。
【００１５】
さらに、コイル３の断面積低下により、磁路長の短い小型サイズで軽量の鉄心寸法とすることができ、鉄心重量も減らすことができる。この結果、軽量で安価なリアクタとすることができる。
【産業上の利用可能性】
【００１６】
本発明のリアクタは、コイル放熱性を向上が可能となるため、積層鉄心を使用したインダクタ・トランスの用途にも適用できる。
【図面の簡単な説明】
【００１７】
【図１】本発明の実施の形態１におけるリアクタの断面図
【図２】本発明の実施の形態１におけるリアクタの製造工法説明図
【図３】従来のリアクタの斜視図
【符号の説明】
【００１８】
１  積層Ｅ型鉄心
１ａ  中央磁脚
２  積層Ｉ型鉄心
３  コイル
４  絶縁紙
５  導体
６  酸化皮膜
７  エアギャップ
Ｗ１  コイル外形寸法
Ｗ２  積層Ｅ型鉄心窓外形寸法
【図１】
2007287956.tif 000003
【図２】
2007287956.tif 000004
【図３】
2007287956.tif 000005
(57)【要約】【課題】本発明の目的は、パッドとバンプの接合部分の強度を上げることにある。【解決手段】半導体装置は、集積回路１２が作り込まれた半導体チップ１０と、集積回路１２に電気的に接続されるように半導体チップ１０上に形成されておりパッド２２を一部に有する配線２０と、パッド２２の上面に形成されてなるバンプ４０と、を含む。配線２０は、パッド２２を除いて、上面がＡｌから形成されている。パッド２２の上面は、ＴｉＮ又はＴｉＷから形成されている。バンプ４０の少なくとも下面はＡｕから形成されている。【選択図】図１
2007287984.tif 000002
【特許請求の範囲】
【請求項１】
集積回路が作り込まれた半導体チップと、
前記集積回路に電気的に接続されるように前記半導体チップ上に形成される、パッドを一部に有する配線と、
前記パッドの上面に形成されてなるバンプと、
を含み、
前記配線は、前記パッドを除いて、上面がＡｌから形成され、
前記パッドの上面は、ＴｉＮ又はＴｉＷから形成され、
前記バンプの下面はＡｕから形成されてなる半導体装置。
【発明の詳細な説明】
【技術分野】
【０００１】
本発明は、半導体装置に関する。
【背景技術】
【０００２】
半導体装置の半導体チップにはパッドが形成され、パッド上にバンプが形成される。パッドはＡｌから形成されることが多く、バンプはＡｕから形成されることが多い。ＡｌとＡｕは、接触していると拡散が生じやすく、共晶合金が形成される。共晶合金はもろいので、パッドとバンプの接合部分が弱くなるという問題があった。
【特許文献１】特開平６−２１０５８号公報
【発明の開示】
【発明が解決しようとする課題】
【０００３】
本発明の目的は、パッドとバンプの接合部分の強度を上げることにある。
【課題を解決するための手段】
【０００４】
本発明に係る半導体装置は、
集積回路が作り込まれた半導体チップと、
前記集積回路に電気的に接続されるように前記半導体チップ上に形成される、パッドを一部に有する配線と、
前記パッドの上面に形成されてなるバンプと、
を含み、
前記配線は、前記パッドを除いて、上面がＡｌから形成され、
前記パッドの上面は、ＴｉＮ又はＴｉＷから形成され、
前記バンプの下面はＡｕから形成されてなる。本発明によれば、パッドの上面及びバンプの下面を、それぞれ、拡散し難い材料の組み合わせであるＴｉＮ（又はＴｉＷ）とＡｕで形成するので、共晶合金が形成され難くなっており、接合部分の強度を上げることができる。
【発明を実施するための最良の形態】
【０００５】
以下、本発明の実施の形態について図面を参照して説明する。
【０００６】
図１は、本発明の実施の形態に係る半導体装置の一部を示す図である。半導体装置は、半導体チップ１０を有する。半導体チップ１０には、集積回路１２が作り込まれている。集積回路１２の例として、メモリ回路や、表示装置の駆動回路などが挙げられる。
【０００７】
半導体チップ１０上には、集積回路１２に電気的に接続されるように配線２０が形成されている。配線２０は、ＴｉＮ又はＴｉＷからなる第１の層２６と、Ａｌからなる第２の層２８と、を含む複数層から構成されている。第１の層２６の上に第２の層２８が形成されている。第１の層２６は、その上に形成される部材の材料が半導体チップ１０内に拡散することを防止するバリアメタルとして機能する。第１及び第２の層２６，２８は、それぞれ、スパッタリングによって形成することができる。
【０００８】
配線２０は、パッド２２を有する。配線２０は、パッド２２から引き出されるライン２４を含む。パッド２２は、ライン２４よりも幅の広い部分である。パッド２２は、その最上層が第１の層２６であるか、あるいは、第１の層２６のみから構成されている。したがって、パッド２２の上面は、ＴｉＮ又はＴｉＷから構成されている。配線２０のパッド２２を除いた部分（例えばライン２４）は、その最上層が第２の層２８であるか、あるいは、第２の層２８のみから構成されている。したがって、配線２０のパッド２２を除いた部分（例えばライン２４）の上面は、Ａｌから形成されている。なお、配線２０の下の層は、酸化膜などの無機材料から形成されており、無機材料はアルミニウムなどの金属よりも硬いことで知られている。
【０００９】
配線２０は、パッド２２の少なくとも一部（例えば中央部）を除いてパッシベーション膜３０に覆われている。パッシベーション膜３０は、Ｓｉ３Ｎ４、ＳｉＯ2などの無機材料から形成されている。無機材料は、硬いが脆弱である（展延性が低い）ことで知られている。
【００１０】
パッド２２の上面にはバンプ４０が設けられている。バンプ４０の下面（例えばパッド２２と接触する層）は、Ａｕから形成されている。Ａｕは、ＴｉＮ又はＴｉＷよりも柔らかい。バンプ４０は、その一部がパッシベーション膜３０上に載っていてもよい。バンプ４０は、電解メッキで形成することができる。
【００１１】
本実施の形態によれば、パッド２２の上面及びバンプ４０の下面を、それぞれ、拡散し難い材料の組み合わせであるＴｉＮ（又はＴｉＷ）とＡｕで形成するので、共晶合金が形成され難くなっており、接合部分の強度を上げることができる。また、パッド２２以外の部分（ライン２４）が、Ａｌからなる第２の層２８を含むので導電性を向上させることができる。
【００１２】
図２は、本発明の実施の形態の変形例に係る半導体装置の一部を示す図である。この変形例では、図1における配線２８を形成せず、代わりに下層のメタル配線３２からビアホール３４を介してパッド２２に接続する。この構造によっても図1の構造と同様な機能を達成できる。
【００１３】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００１４】
【図１】図１は、本発明の実施の形態に係る半導体装置の一部を示す図である。
【図２】図２は、本発明の実施の形態の変形例に係る半導体装置の一部を示す図である。
【符号の説明】
【００１５】
１０…半導体チップ、  １２…集積回路、  ２０…配線、  ２２…パッド、  ２４…ライン、  ２６…第１の層  ２８…第２の層  ３０…パッシベーション膜、３２…下層のメタル配線、  ３４…ビアホール、  ４０…バンプ
【図１】
2007287984.tif 000003
【図２】
2007287984.tif 000004
(57)【要約】      （修正有）【課題】従来の部品搬送の振動体は搬送プレートの鉄心を電磁コイルで振動させていたために、振幅、振動にムラがあり、搬送にもムラが生じていた。【解決手段】電磁コイルの振動の力を磁石を取付けた振動プレートで大きくし、さらにテコの原理で振動プレートの振幅を大きくし、搬送プレートに伝える事で確実に搬送プレートを振動させる事ができる。【選択図】図２
2007277001.tif 000002
【特許請求の範囲】
【請求項１】
振動プレートで振幅を大きくさせる事によって、搬送プレート上の製品部品を確実に搬送する部品搬送の振動体。
【請求項２】
磁石を振動プレートに取付ける事により、より強く振動させる事ができる部品搬送の振動体。
【発明の詳細な説明】
【技術分野】
【０００１】  本発明は製品部品を一定の速度で搬送する振動体に関する。
【背景技術】
【０００２】  従来の搬送は図１のように搬送プレートに取付けた鉄心を電磁コイルで振動させていた。
【発明の開示】
【発明が解決しようとする課題】
【０００３】  電磁コイルの電磁によって、搬送プレートの鉄心を振動させていために、振動、振幅にムラがあり、送りに反映し、ムラが生じていた。【０００４】  本発明はこのような問題点を解決する物であり、電磁コイルの特性に関係なく、一定の振動を搬送部品に伝えて、確実に製品部品を搬送する物である。
【課題を解決するための手段】
【０００５】  本発明は、上記目的を達成するために、電磁コイルの振動を大きくする磁石を、振動プレートに取付け、振動プレートにテコの原理の支点、力点を設けたものである。
【発明の効果】
【０００６】  上記のように磁石の大きさ、強さを変えることにより、振動の力を変えられ、さらに振動プレートの支点、力点の比率を変える事により、容易に振幅を変えられる物である。
【発明を実施するための最良の形態】
【０００７】  以下、本発明を図２に基づいて説明する。【０００８】  本図において、４は搬送プレート（１）に振動を伝える振動プレート、３は振動プレート（４）の振動を強くするための磁石、２は振動プレート（４）の力点、８は支点、５は搬送プレート（１）と取付けプレート（７）を継ぐ板バネ、６は振動プレート（４）を振動せ，搬送プレート（１）を振動させるための電磁コイルで構成されている。【０００９】  上記の構成の動作を説明する。電磁コイル（６）の振動を大きくする磁石（３）を取り付けた振動プレート（４）を、さらにテコの原理で大きく振幅させた振動を搬送プレート
2007277001.tif 000003
の方向に搬送していく物である。
【図面の簡単な説明】
【００１０】
【図１】従来の部品搬送の振動体
【図２】側面図
【符号の説明】
【００１１】１      搬送プレート        ６      電磁コイル
２      力点                ７      取付けプレート
３      磁石                ８      支点
４      振動プレート
５      板バネ
【図１】
2007277001.tif 000004
【図２】
2007277001.tif 000005
(57)【要約】【課題】  現在特許出願中の粉末炭酸カルシウム再固形化製造法にともない製品を製造する装置が必要となる。しかし従来の製造装置及び設備では生産量の確保が難しく、設備投資、生産コストにて不可能な点が多々あった。粉末炭酸カルシウム再固形化製造法の製品制作装置として不可欠なもので製造法に合わせて設計されて作られており詳細なデーターによる裏付けにより考案された設備である。またこれまでの設備では不可能であった安価な大量生産が可能となりトータルコストの面からも粉末炭酸カルシウムを再固形化する製造法を完全に実施できる設備を提供するものである。【解決手段】  粉末炭酸カルシウムを再固形化する設備として計量、混合、混練、成形、焼成のシステムにより構成され粉末炭酸カルシウム再固形化製造法を完全に実施できる設備である。【特許請求の範囲】
【請求項１】
炭酸カルシウムの粉末を再固形化させるときの製造装置として計量、混合、混練り、成形、乾燥、焼成のシステムに基づき粉末炭酸カルシウムの再固形製品の製造に関する装置。
【発明の詳細な説明】
【発明の詳細な説明】
【技術分野】
【０００１】  本発明は、粉末炭酸カルシウムを固形化し、粒状の炭酸カルシウムとして再利用する方法及び、固形化する際に強度を与えて粒状とする技術に関するものに基づき再固形化製品を製造する装置である。
【背景技術】
【０００２】  従来、粉末品を固形化する技術は多々あるが炭酸カルシウムを再度固形化する製造法及び強度を与える量産製造装置は開発されていない。
【発明が解決しようとする課題】
【０００３】  現在特許出願中の粉末炭酸カルシウム再固形化製造法にともない製品を製造する装置が必要となる。しかし従来の製造装置及び設備では生産量の確保が難しく、設備投資、生産コストにて不可能な点が多々あった。
【課題を解決するための手段】
【０００４】  前記目的に沿う請求項１記載の粉末炭酸カルシウム再固形製品の製造装置は、炭酸カルシウムの粉末と各種固形剤を混合し比率計量、混合、混練、粒状成形装置により成形し、乾燥、焼成により再固形化させるものである。
【発明を実施するための最良の形態】
【０００５】  以下、本発明の一実施の形態について説明する。請求項１記載の粉末炭酸カルシウム再固形製品の製造装置は、炭酸カルシウムの粉末、添加剤を比率計量し混合させ、水分添加後混練りして粒状成形装置により成形、焼成により再固形化させるプラントである。本製造装置の基本的レイアウトを表１に示す。
【表１】
2007277071.tif 000002
別紙プロトタイプ制作図面及び量産プラント計画図面添付
注】粒状成型機と焼成機の間に乾燥装置を組み込む可能性もある。
【発明の効果】
【０００６】  請求項１記載の粉末炭酸カルシウム再固形化の製造装置は、従来の製造装置では不可能であった安価にての大量生産を可能とし生産設備費及び生産コストを削減し市場流通可能な価格により製品を製造できる。また現在特許申請中の炭酸カルシウム再固形化製造法の専用装置として活用する為、製造法で得られる効果と同様に資源の有効利用や環境破壊の防止に寄与するとともに、採掘費用や廃棄物処理費用を削減することができる。
(57)【要約】      （修正有）【課題】壁パネルに関し、その制震効果を得ると共にコスト低減と、施工の工期を短縮することが課題である。【解決手段】面材２と、該面材の周囲の４辺において建物の内側となる部分に貼着された両面粘弾性テープ３と、前記面材の中央部において上下方向に固着された間柱４と、前記面材の下部に設けられる下横材５とからなる壁パネル１とする。さらに、下横材５は、その左右方向の両端部５ａ、５ｂが、接続金物との接合用にカットしている。【選択図】図１
2007277854.tif 000002
【特許請求の範囲】
【請求項１】
面材と、該面材の周囲の４辺において建物の内側となる部分に貼着された両面粘弾性テープと、前記面材の中央部において上下方向に固着された間柱と、前記面材の下部に設けられる下横材と、からなること、
を特徴とする壁パネル。
【請求項２】
下横材は、その左右方向の両端部が、接合金物との接合用にカットされていること、
を特徴とする請求項１に記載の壁パネル。
【発明の詳細な説明】
【技術分野】
【０００１】
本発明は、エネルギー吸収作用と、製造コストの低減と、建築現場での施工性とを高めた壁パネルに関するものである。
【背景技術】
【０００２】
従来、壁パネルは、例えば、建物に壁として設置され層間変位により面内方向に変形して振動エネルギーを吸収する粘弾性壁において、線材と面材との組合せにより形成された建物であって、前記線材及び面材のなす接合面のうち少なくとも一部に粘弾性体を介在させた状態で、これら線材及び面材が固定されている制震建物が知られている（特許文献１参照）。
【０００３】
この構成により、建物において、線材と面材との接合面に介在させた粘弾性体によって、地震時において所定値以上の層間変形角が生じて前記線材と面材との間にガタが生じた際に、線材と面材との相対ずれを利用して粘弾性体を変形させることができる。それにより、ダンパー部に大きな変形を与えることができ、中小の地震等に対しても優れた制震効果が得られるものである。
【特許文献１】特開２００２−６１３１６号公報
【発明の開示】
【発明が解決しようとする課題】
【０００４】
しかし、従来の壁パネルでは、例えば、柱などに木ねじ等を使用して固着しているので、柱等への仮止め手段が無く、現場での取り付け作業に手間が掛かかる。そこで、本発明に係る壁パネルは、このような課題を解決するために提案されたものである。
【課題を解決するための手段】
【０００５】
本発明に係る壁パネルの上記課題を解決して目的を達成するための要旨は、面材と、該面材の周囲の４辺において建物の内側となる部分に貼着された両面粘弾性テープと、前記面材の中央部において上下方向に固着された間柱と、前記面材の下部に設けられる下横材と、からなることである。
【０００６】
前記下横材は、その左右方向の両端部が、接合金物との接合用にカットされていること、を含むものである。
【発明の効果】
【０００７】
本発明の壁パネルによれば、粘弾性テープで地震エネルギーが吸収されると共に、両面粘弾性テープであるので、柱間に壁として取り付ける際に、剥離紙を剥がして押圧して貼着すればよく、施工が簡単で、手間が掛からず低コストとなる。
また、下横材には、接合金物との取り合いを良くするように、カットされているので、取り付け工事も容易となるものである。
【発明を実施するための最良の形態】
【０００８】
本発明に係る壁パネルは、図１に示すように、構造用合板の面材２と、該面材２の周囲の４辺において建物の内側となる部分に貼着された両面粘弾性テープ３ａ…３ｄと、前記面材２の中央部において上下方向に固着された間柱４と、前記面材２の下部に設けられる下横材５とからなる。
【０００９】
また、前記下横材５は、その左右方向の両端部５ａ，５ｂが、接合金物との接合用にカットされている。この壁パネル１は、工場で予め形成されるものである。よって、現場で前記両面粘弾性テープ３をパネル２に貼着する必要はない。
【００１０】
前記壁パネル１を使用するには、図２（Ａ）〜（Ｄ）に示すように、前記両面粘弾性テープ３の剥離紙を剥がして、この壁パネル１を柱６，６間に嵌装して、貼着するものである。下横材５には、カット部分５ａ，５ｂがあるので、接合金物との取り合いにおいて位置決めが容易となって、設置しやすいものである。
【００１１】
そして、前記取り付けた壁パネル１を、釘などで打ち込んで、柱６，６間に固定するものである。このようにして、壁パネル１の施工性が高まり、エネルギー吸収効果も得られるものである。
【図面の簡単な説明】
【００１２】
【図１】本発明に係る壁パネル１の斜視図である。
【図２】同本発明の壁パネル１の、正面図（Ａ），使用状態の側面図（Ｂ），使用状態の平面図（Ｃ），壁パネル１の底面図（Ｄ）である。
【符号の説明】
【００１３】
１          壁パネル、
２          面材、
３          両面粘弾性テープ、
４          間柱、
５          下横材、
６          柱。
【図１】
2007277854.tif 000003
【図２】
2007277854.tif 000004
(57)【要約】【課題】  中年から眼の下に生ずるタルミと大皺を、皮膚面に塗布するだけで手軽に、安全に、軽減し、除去する新化粧品の開発。【解決手段】  タルミを作る、涙嚢が弛緩する原因は、皮膚筋力の老化だが、出願者が永く研究を続けて熟知している、山野に自生する擔子菌植物（茸類）がもつ物質中から、皮膚を傷めることなく浸透する力をもち、弛緩した皮膚を刺激して緊張させ、次第に強化して、タルミを委縮し皺を軽減する物を厳選して中核とした、塗るだけで目的を遂げる、全く新しい化粧品を作ったことで解決した。【選択図】なし【特許請求の範囲】
【請求項１】
擔子菌植物を原料とする化粧品。
【発明の詳細な説明】
【技術分野】
【０００１】  本発明は、万人が中年になると眼の下に生ずる、皮膚のタルミと大皺とを、擔子菌植物だけがもつ栄養効果を用いて除去する新しい化粧品に関する。
【背景技術】
【０００２】  このタルミとシワは、老衰、乱淫、不健康、ヨボヨボといったマイナスの悪いイメージを強く人に与えるため、国籍に関係なく世界中の近代人に忌み嫌われているが、これまで、それを除去する方法は、外科手術による以外になく、それも不完全で、繰り返し手術を続ける必要があり、莫大な整形費を要するため、少数の富裕層しか利用できないのが現状であった。【０００３】  本発明は、その眼の下のタルミと大皺を擔子菌植物のもつ成分を活用した世界で始めての化粧品を開発して、皮膚面に塗布するだけで手軽に軽減して行き、やがてほとんど除去できるというもので、すでに多くの協力希望者達が実験に参加し、試用してみた結果、何等の問題も副作用もなく、心身共に２０才も若返ったと驚喜し、満足感を満喫しているものである。【０００４】  これを実現できたのは、これまで着目されなかった擔子菌植物のあるものが含有する物質を、そのタルミと大皺のある皮膚に塗布すると、それを委縮軽減することの発見と、それを化粧品化する着想と、それに伴う困難を克服する研鑚の結果による。【０００５】  本出願者は、さきの第二次大戦中に、国家的な大食料不足を補なうため、明治期に祖父が考案、全国を指導した推茸栽培の歴史に倣って、山野に自生する食用茸の活用を思いつき、鋸屑栽培法に至る研究によって実用化に成功、終戦直後、その技術を、製薬会社等を通じて全国に拡大指導し、製薬、製菓会社が種菌の増産普及に努めて、現在みる食用茸産業の基礎をつくった。
以来、一貫して擔子菌植物研究を続け、２０世紀末にはタイ国と中国国境に多産する薬用茸の霊芝を、その人工栽培の軌道に乗せるようタイ国で指導、タイ皇室の主導する一大国家産業として成長させた端緒を開くなどしたほか、多種の茸の医療効果を突き止めて広く啓蒙し、現在のガン特効薬茸の研究や、健康食品としての研究を次々展開、振興して現在の健康茸ブームを醸成するなど、擔子菌植物の研究と産業化に、長期にわたって努力、貢献してきた。
本発明は、こうした擔子菌植物の基礎研究と含有有用物質の解明、それが要求する新品種の作出と、得られた新物質の応用と製品化、さらなる、その改良と産業化といった、基礎研究と応用技術の古く広い研究と応用の成果を、これまで、どこにも存在しなかった、眼の下のタルミとシワを取る化粧品として、初めて本格的に活用して創造した、世界最初の新製品なのである。
【発明の開示】
【発明が解決しようとする課題】
【０００６】  本発明は、中年から眼の下に生ずるタルミと大皺を、皮膚面に塗布するだけで手軽に安全に軽減し、除去する化粧品の開発を課題とする。
【課題を解決するための手段】
【０００７】  それには、眼の下のタルミの主因である、涙嚢を弛緩させている原因をば、突き止めることが必要だが、これはすでに、皮膚の老化が原因だという医学上の結論が出て、今では常識であるから、発明者が研究成果を大量に蓄積し、熟知している擔子菌植物が持つ物質中から、皮膚への浸透力をもち、弛緩している皮膚を傷めることなく刺激して緊張させ、次第に強化する能力をもつものを厳選して中核とした、新しい化粧品をつくればいい。
【発明の効果】
【０００８】  本発明製品の利用者は、皮膚面に塗布するだけの手間で、眼の下のタルミと大皺を手軽に軽減し、ほとんど除去することができる。それは前記のように、すでに多くの協力希望者達が実験に参加し、試用してみた結果、何等の副作用も他の問題もなく、心身共に２０才も若返ったと驚喜して、満足感を満喫している。
【発明を実施するための最良の形態】
【０００９】  擔子菌植物は、工業原料としてはデリケートで、永い菌糸状態から、茸状に開傘し、短期間に胞子化から腐敗へと、変態、変容、変質が激しいので、ただ搾汁するだけで済む他の植物や果実のようには扱えない。従ってそれを日常普段に使用する化粧品に仕上げるには、細かい多くの創意工夫がいるが、それは本願とは別に出願するので、本願とは切り離して。【００１０】  原則的な、最良の実施形態のみを述べると、原料の菌体を完全に防腐処理を施して粉砕したものを、所用目的に応じた商品の形態（さまざまな液状・クリーム状など）に応じて適する液体に溶解し、あるいはさらに用途に応じて濾過したものに、皮膚強化に欠かせないコラーゲン等の補助栄養物質類を加えて、液状またはクリーム状に成形、容器につめて商品化する。
【産業上の利用可能性】
【００１１】  本発明は、その原料の入手も容易、製造工程も単純で、全て機械化できるので、産業化はごく容易で、コストは極めて低く、また人類が続く限り人々は必ず加齢して、本発明品を必要とし続けるし、しかもこれはこれまで女性主体の商品と考えられてきた化粧品と異なり、むしろ男性の方が必要とすることが確かで、いまだかつて存在しなかった特殊な化粧品であるため、世界の大需要を独占する強力な可能性をもっている。【００１２】  この新化粧品の出現によって、世界中の中高年層が、その容貌と高齢という劣等感を拭い去り、生活意欲を旺盛化することへの貢献は間違いないが、高齢化時代を迎えた全世界の、男女にわたる膨大な需要を考えると、我が国の経済力を画期的に高め、世界の大衆に我が国の文化の高さを強く意識させて親密感を増し、かつてのフランスに対する日本人の親近感と尊敬と同様のものを与えて、我が国の外交上にも、大きく貢献することは間違いない。
一見単純な発明にみえるが、これが及ぼす国益も極めて高く。需要もまた決定的に莫大であり、採算性も比類なく高いから、産業上に於ける本発明の利用の可能性は疑う余地がない。
(57)【要約】      （修正有）【課題】積雪地域では除雪用のブルドーザー、ショベルカー等の除雪板に鋼製の側溝頂盤部がひっかかって外れるような事態が発生しており、強度があるだけでは対抗できないので、対処として衝撃を吸収できる構造を提供する。【解決手段】側溝コンクリートブロックの側溝底盤部のコンクリート層Ｃと集水開口部２を形成する頂盤部のコンクリート層Ａの間に緩衝材による中間層Ｂを介在させて側溝コンクリートブロックを成形し、中間層Ｂの緩衝材によって車両等の通行による衝撃を吸収させるように構成した。【選択図】図１
2007277970.tif 000002
【特許請求の範囲】
【請求項１】
側溝底盤部のコンクリート層と集水開口部を形成する頂盤部のコンクリート層の間に緩衝材による中間層を介在させて成る側溝コンクリートブロック
【請求項２】
集水開口部を形成する頂盤部のコンクリート層を高強度コンクリートにより形成した請求項１記載の側溝コンクリートブロック
【発明の詳細な説明】
【技術分野】
【０００１】
本発明は、道路脇に設けられる集排水用の側溝を構築するコンクリートブロックで、特に、道路を横断して設定される溝部分について問題となる車両等の通行による衝撃によって側溝が破損することを防止するため車両等の通行が側溝に与える衝撃を緩衝するようにしたコンクリートブロックに関するものである。
【背景技術】
【０００２】
従来、車両等の通行による衝撃によって側溝が破損することに対処する手段としては、例えば特許文献１に記載のように集水開口部に設けた鋼製受け枠に鋼製グレーチング蓋をしたり、鋼製受け枠を側溝打設の際に埋め込み、排水用水抜穴付鋼板蓋をしたりして対応してきている。
【０００３】
ところが、このような対処方法では鋼製受け枠外側のコンクリート受け部が破損していくため、更に、コンクリート受け部を鋼製部材で補強したり、側溝の開口部を出来るだけ小さくして、その天端部を鋼材で補強したりする対処方法も行われてきた。
【特許文献４】特開２０００ー３５２１０６号公報
【発明の開示】
【発明が解決しようとする課題】
【０００４】
しかしながら、積雪地域では除雪用のブルドーザー、ショベルカー等の除雪板が路面ぎりぎりの所を除雪するため、特に、道路横断溝部分では、除雪板に鋼製部材がひっかかって外れるような事態が発生し、除雪後の車両等の通行に大きな支障となり、危険な事故にもつながりかねない問題がある。
【課題を解決するための手段】
【０００５】
本発明は、従来の対応が通行衝撃に対して素材強度で対抗し、衝撃の吸収が顧慮されていない点に着目し、側溝を構成するコンクリートブロックの側溝底盤部コンクリート層と集水開口部を形成する頂盤部コンクリート層の間に緩衝材による中間層を介在させて、頂盤部にかかる衝撃を中間層で吸収するようにした。
【０００６】
また、頂盤部コンクリート層の素材コンクリートを底盤部コンクリート層の素材コンクリートより高強度のコンクリートを用いて表面部を強度対抗させ、支持部に衝撃吸収力を持つ弾性素材を用いることによって底盤部コンクリート層の素材コストを下げると共に、衝撃吸収力も強化されるようにしたものである。
【実施例】
【０００７】
以下図面に従って本発明の実施例を説明する。１は本発明による側溝用ブロック本体であり、頂盤部コンクリート層Ａ、側溝底盤部コンクリート層Ｃ、その中間に介在する中間層Ｂの３層から成っている。
【０００８】
頂盤部コンクリート層Ａは集水開口部２によって２分されるため、側溝頂盤部２ａ、２ｂから成り、超高強度コンクリートによって成形され、矢張り排水溝３によって２分され別に成形されたゴム製側盤３ａ、３ｂによって構成される中間層Ｂの上部に接着剤等によってそれぞれ着接される。
【０００９】
側溝底盤部コンクリート層Ｃは、上面に排水溝３の底面４を形成して普通コンクリートにより一体に成形され、上面両翼に上記側溝頂盤部２ａ、２ｂを上面に着接したゴム製側盤３ａ、３ｂをそれぞれ着接して側溝用ブロックとして一体化して側溝コンクリートブロックとして完成する。
【００１０】
中間層Ｂを形成する緩衝材は、上記ゴムによるほか、合成樹脂、発泡コンクリートによることもでき、発泡コンクリートによる場合は１つの型枠に各素材を順次重積して１度に成形、養生を行うこともできる。
【００１１】
本発明は以上のように構成したので、従来、車両通行等により破損や故障を免れなかった側溝頂盤部を衝撃吸収によって保護し、側溝構造の安定を図ることができたものである。
【図面の簡単な説明】
【００１２】
【図１】本発明による側溝コンクリートブロックの実施例を示すもので、ブロックの全体構造を示す斜視図である。
【符号の説明】
【００１３】
１          側溝用ブロック本体
２          側溝用ブロックの集水開口部
２ａ、２ｂ  側溝用ブロックの側溝頂盤部
３          側溝用ブロックの排水溝
３ａ、３ｂ  側溝用ブロックの側溝頂盤部
４          側溝用ブロック排水溝の底面
Ａ          頂盤部コンクリート層
Ｂ          中間層
Ｃ          底盤部コンクリート層
【図１】
2007277970.tif 000003
(57)【要約】      （修正有）【課題】ゴルフ練習場の集球効率を上げながら、クッション性がよく、耐久性があり、さらに、太陽光の反射を抑えた集球シートを提供する。【解決手段】鎖状編み目１と挿入糸２と連結糸３からなるラッセル編みのシートに合成樹脂製の短繊維の綿４からなる不織布シート５をニードルでパンチング加工した後、樹脂を浸透させ、乾燥加工することにより組織を固定したシートから構成されており、ラッセルシートの伸縮性、クッション性がボールの衝撃を吸収するとともに、毛羽状に短繊維の綿がラッセルシートに絡まることにより、太陽光の反射を抑える。【選択図】図１
2007277782.tif 000002
【特許請求の範囲】
【請求項１】
ダブルラッセル又はシングルラッセルシートの表面に合成樹脂製の短繊維の綿をパンチング加工し、ゴルフ練習場の集球を目的としたシート。
【請求項２】
ダブルラッセル編みのシートをセンターカットして２枚にする。それぞれに合成樹脂からなる短繊維の綿をパンチング加工しゴルフ練習場の集球を目的としたシート。
【発明の詳細な説明】
【技術分野】
【０００１】本発明はゴルフ練習場のフェアウェイに敷設する集球シートに関するものであり、ラッセル編みのシートに合成樹脂短繊維の綿をニードルパンチ加工し、集球性、クッション性、耐久性、さらに太陽光の反射を改善した物である。
【背景技術】
【０００２】  従来から、ゴルフ練習場の集球シートは、タフテッドのループ人工芝、ニードルパンチカーペット、単独でのラッセルシートなど使用されている。
【特許文献１】  特開２００１−３４０５０９
【特許文献２】  特開  平２−７４６４８
【発明の開示】
【発明が解決しようとする課題】
【０００３】  ゴルフ練習場の集球においては、低勾配でボールが転がる事が集球コストを抑える事につながり重要であり、さらにクッション性をますことはボールを長持ちさせる効果がある。タフテッドのループ人工芝での集球シートは、組織が破壊されると繊維の毛玉ができたりし、集球効率を悪化させる問題を有している。その他の集球シートは、太陽光の反射があり、ボールの着地点が見えづらいなどの課題を抱えている。
【課題を解決するための手段】
【０００４】  合成樹脂から作られたモノフィラメント、マルチフィラメント、スプリットヤーン、紡績糸などで構成されたラッセル編みシートに同じく、合成樹脂短繊維の綿をニードルでパンチ加工を施す。さらに樹脂を塗布し、乾燥させシートの組織を固定する。
【発明の効果】
【０００５】  ラッセルシートの伸縮性、クッション性がボールの衝撃を吸収し、短繊維の綿がラッセルシートの組織に入り込み、シート自体の凹凸を少なくし、ボールの転がり勾配を低くする事が可能になる。さらに、毛羽状に短繊維の綿がラッセルシートに絡まる事により、太陽光の反射を抑える。
【発明を実施するための最良の形態】
【０００６】  ５ｍｍ厚前後のダブルラッセル編みのシートで表面は、ハニカム構造、網目構造などニードルが打ち込み可能な空間を有している物を用いる。
ダブルラッセルシートの材質は、ポリエステル、ナイロンなど対候性の良い物が理想的である。
ポリエステル短繊維で薄いフェルトシートを加工する。
そのフェルトシートにダブルラッセルシートをセットしポリエステル短繊維の綿をニードルでパンチ加工を施す。
さらに、耐水性ＳＢＲなどの樹脂を組織に浸透させ、乾燥により固め、仕上げる。
【産業上の利用可能性】
【０００７】  本発明に係わるラッセル集球シートは、工業的に量産することが可能であるため、産業上の利用可能性を有する。
【図面の簡単な説明】
【０００８】
【図１】  ダブルラッセル編みのシートによる集球シートの断面図である。
【図２】  ダブルラッセル編みのシートによる集球シートの正面からみた図である。
【図３】  シングルラッセル編みのシートによる集球シートの正面からみた図である。
【図４】  シングルラッセル編みシートによる集球シートの断面図である。
【符号の説明】
【０００９】  １      鎖状編み目
２      挿入糸
３      連結糸
４      短繊維綿
５      不織布シート
【図１】
2007277782.tif 000003
【図２】
2007277782.tif 000004
【図３】
2007277782.tif 000005
【図４】
2007277782.tif 000006
(57)【要約】【課題】  従来提案されている膝用サポーターとは別なメカニズムによって脚部伸長促進効果が期待できる新規な脚部伸長促進膝用サポーターを提供する。【解決手段】  伸縮性素材に天然鉱石粉末などを付着配合させた二本のサポーターの間に押しバネを設けることによりなる脚部伸長促進膝用サポーター。これを１日数時間程度睡眠中に装着する。【選択図】図１
2007277786.tif 000002
【特許請求の範囲】
【請求項１】
膝上部と膝下部の二本のサポーターとの間にベルトを設け、二本のサポーター同士を離させ伸長させる為に押しバネを設けたことを特徴とする脚部伸長促進膝用サポーター。
【発明の詳細な説明】
【技術分野】
【０００１】  本発明は、脚部伸長促進膝用サポーターに関し、詳細には、睡眠中に装着することにより、成長期である脚部の伸長を促進させることを容易に行えるようにした脚部伸長促進膝用サポーターに関する。
【背景技術】
【０００２】  膝用サポーターは様々な物が提案されている。たとえば、下記の特許文献１には、膝への密着と保護性を高めた膝用サポーターが開示されており、下記の特許文献２には、スムーズな歩行を可能にする膝用サポーターが開示されている。
【特許文献１】特許公開２００２−２９１９５６号公報
【特許文献２】特許公開２００３−８８５４４号公報
【発明の開示】
【発明が解決しようとする課題】
【０００３】  現在市販されている様々な膝用サポーターの多くは、遠赤外線やマイナスイオンなどを発生させる物質をサポーター繊維に配合させ血行を促進させて、膝痛などを改善させたり、又は、歩行などの日常生活に支障がでないように膝をしっかり保護し固定させる膝用サポーターなどが一般的に市販されているものである。【０００４】  そこで、本発明は、従来提案されている膝用サポーターとは別のメカニズムにより脚部の伸長促進効果が期待できる新規な脚部伸長促進膝用サポーターを提供することを目的とする。
【課題を解決するための手段】
【０００５】  本発明は、伸縮性の高い布生地及びゴム生地からなる素材に、ゲルマニウムなどの物質を生地に付着又は縫い合わせた膝上部と膝下部と二本のサポーターからなり、その二本のサポーターがずれないように間にバンドと押しバネが設けられていることにより、上部と下部の二本のサポーターを全体に伸長させることができる優れた脚部伸長促進膝用サポーターである。
【発明の効果】
【０００６】  本発明は、膝上部と膝下部と二本のサポーターとの間に押しバネを設けた独特の形状であることから二本のサポーターの間を常に伸長させ、且つ、皮膚に触れる裏生地部分には遠赤外線やマイナスイオン効果が期待できる物質を付着配合させることを特徴とし、睡眠中に装着することにより有意な脚部伸長促進効果を得ることができる。
【発明を実施するための最良の形態】
【０００７】  本願発明者は、次のようなプロセスにより、本発明の脚部伸長促進膝用サポーターを作成した。サポーターテープに天然鉱石粉末を生地専用塗料に混ぜ合わせ裏生地に付着させ、二本のサポーターの間をバンドで固定させ、更に押しバネを装着させて実施例に係る脚部伸長促進膝用サポーターを作成した。全体として、独特の形状と押しバネの伸長作用での相乗効果によって膝全体を固定でき且つ、膝上部と膝下部が常に伸長作用として働いているサポーターとなっている。
【実施例】
【０００８】  図面の［図１］を参照して本発明を説明すると、膝上部に１を巻きつけ膝下部に２を巻きつける。その際、押しバネ５が縮むように膝を軽く曲げながら装着する。従って、足を真っ直ぐと伸ばした状態で押しバネ５が伸長させる作用が働くことになる。二本のサポーターがねじれないように繋ぎバンド４を設けてある。当該実施例に係る脚部伸長促進膝用サポーターを、１０名の被験者に１日８時間程度睡眠中に装着させて実験を３ヶ月間行ったところ、１０名中８名の被験者から、脚部及び身長が伸びたという効果が自覚できる旨の回答が得られた。効果には、個人差があり、必ずしも顕著な効果が現れなかったケースもあるが、概ね良好な結果が得られた。【０００９】  本発明の脚部伸長促進膝用サポーターの必須構成要素は、伸縮性素材にゲルマニウムなどの天然鉱石を配合もしくは付着させ、膝上部と膝下部の二本のサポーターからなり且つ、独立した二本のサポーターのずれを防止するために繋ぎバンドを設け、押しバネが装備されていることを特徴とする構成要素である。【００１０】  本発明の脚部伸長促進膝用サポーターは二本のサポーターからなることで、装着脱着しずらい問題点を解決している。また、天然鉱石による遠赤外線効果やマイナスイオン効果などから膝の保温性、血流促進などにより膝を中心とした脚部に十分な栄養が骨や筋肉に行き届き脚部の伸長促進効果になっていると考えられるが、本願発明者は、膝用サポーターが二本に独立をしていて、更に押しバネによりサポーター同士を離させるという作用を持つ独特の形状ゆえに、睡眠中に膝を中心とした脚部に適度の負荷をかけることにより脚部伸長に有効に作用したと考えている。また、睡眠中に脚部を固定することによりＯ脚防止や真っ直ぐと美しい脚部に補正する作用も期待できる。
【図面の簡単な説明】
【図１】    本発明の正面図である。
【図２】    本発明の側面図である。
【符号の説明】
１  膝上部サポーター
２  膝下部サポーター
３  押しバネ固定部
４  繋ぎバンド
５  押しバネ
【図１】
2007277786.tif 000003
【図２】
2007277786.tif 000004
(57)【要約】【課題】この発明は、増量する髪や髪飾りを付着したリング管を自分の髪の毛を取り付ける場合に簡易に自分の髪の毛を導入するためのガイドを有する髪飾り。【解決手段】改善策としてリング管内にあらかじめガイドを貫通して設置しておき、このガイドに自分の髪の毛を通し、ガイドつまみを引きさげてガイド全体を引き抜くことにより、自動的にリング管内に自分の髪の毛を導入する。【選択図】  図１
2007277776.tif 000002
【特許請求の範囲】
【請求項１】
本発明は増量した髪や髪飾りが付着したリング管を自分の髪の毛に取り付ける場合に、リング管内に簡易に自分の髪の毛を導入するためのガイドを有する髪飾り。
【発明の詳細な説明】
【技術分野】
【０００１】
増毛や髪飾りの付着したリング管内に、自分の髪の毛を挿通することによりリング管を自分の髪の毛に締着する場合、髪の毛をリング管内に容易に貫通させることが出来るプラスチック製のガイドを備えた髪飾り。
【背景技術】
【０００２】
従来の増毛や髪飾りのため髪の毛が貫通する管状のリング管の外周部に付着された増毛や髪飾りは、細い管状のリング管内に自分の髪の毛を貫通させることは容易ではなく、専門家の手を借りて行なわなければならない。
【発明の開示】
【発明が解決しようとする課題】
【０００３】
従来のものは、自分の髪の毛を指で数本つまみとりリング管に導く必要があり、自分の髪の毛をリング管に導くのに手間や時間が掛かった。
【課題を解決するための手段】
【０００４】
この改善策としてリング管内に図―１の１で示されたガイドを設ける。
【発明の効果】
【０００５】
ガイドに自分の髪の毛を通すことによりガイドつまみを引きガイド全体を引き抜くことにより自動的に管状リング内に自分の髪の毛を導入する。
【発明を実施するための最良の形態】
【０００６】
ガイドの材質は髪の毛を捕らえやすいように表面が粗い仕上げになっているものを使用する。
【図面の簡単な説明】
【０００７】
【図１】自分の髪の毛をガイドに通した図
【図２】ガイドつまみを少し引き下げた図
【図３】ガイドを引き抜き自分の髪の毛をリング管内に通した図
【符号の説明】
【０００８】
（１）ガイド
（２）自分の髪の毛
（３）リング管
（４）かしめシーム
（５）ガイドつまみ
（６）増毛または飾り髪
【図１】
2007277776.tif 000003
【図２】
2007277776.tif 000004
【図３】
2007277776.tif 000005